(57)【特許請求の範囲】
【請求項１】
無線通信ネットワークにおけるチャネル状態情報参照信号（ＣＳＩ−ＲＳ）エレメントの測定を制御するための方法（８００）であって、前記方法（８００）は、前記無線通信ネットワークの１つまたは複数のノード（３０）において、
Ｎ個のＣＳＩ−ＲＳエレメントのうちの１つまたは複数の各々中でＣＳＩ−ＲＳシンボルを送信すること（８０２）であって、セット中の各ＣＳＩ−ＲＳエレメントが、リソースエレメントの時間周波数グリッド中の少なくとも１つのリソースエレメントに対応する、送信すること（８０２）と、
前記Ｎ個のＣＳＩ−ＲＳエレメントから、第１の無線デバイス（５０）によって測定されるべきＣＳＩ−ＲＳエレメントの第１のセットを選択すること（８０４）であって、前記第１のセットが、前記Ｎ個のＣＳＩ−ＲＳエレメントのうちの１つまたは複数を含む、選択すること（８０４）と、
前記第１の無線デバイス（５０）に、ＣＳＩ−ＲＳエレメントの前記第１のセットを識別する第１のＫビットインジケータを含むメッセージを送信すること（８０６）であって、Ｋ＜Ｎである、送信すること（８０６）と、
前記メッセージに応答して、前記第１の無線デバイス（５０）から、ＣＳＩ−ＲＳエレメントの前記第１のセットのうちの少なくとも１つに対応する測定報告を受信すること（８０８）と
を含み、
前記第１のＫビットインジケータが、Ｋビットインジケータの所定のセットのうちの１つであり、ここで、Ｋビットインジケータの前記所定のセットの各メンバーは、Ｋビットインジケータの前記所定のセットのうちの第１のサブセットの各メンバーが、前記Ｎ個のＣＳＩ−ＲＳエレメントのうちの単一のＣＳＩ−ＲＳエレメントを一意に示すように、および前記所定のセットの第２のサブセットの各メンバーが、前記Ｎ個のＣＳＩ−ＲＳエレメントのうちの２つまたはそれ以上の所定のグループを一意に示すように、所定のマッピングに従って、前記Ｎ個のＣＳＩ−ＲＳの中からのＣＳＩ−ＲＳエレメントまたはＣＳＩ−ＲＳエレメントのグループに一意に対応し、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２Ｓ）に等しく、Ｓが、ＣＳＩ−ＲＳエレメントの前記第１のセット中のメンバーの数に等しい、又は、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２ＳＭＡＸ）に等しく、ＳＭＡＸが、Ｋビットインジケータの前記所定のセットを用いて示され得る前記Ｎ個のＣＳＩ−ＲＳエレメントのうちの２つまたはそれ以上の前記所定のグループのうちのいずれか１つ中のメンバーの最大数に等しい、又は、
前記測定報告が、前記ＣＳＩ−ＲＳエレメントのうちのＱ個についての測定データを含み、ここで、１＜Ｑ＜Ｓであり、Ｓが、ＣＳＩ−ＲＳエレメントの前記第１のセット中のメンバーの数であり、前記測定報告が、ＣＳＩ−ＲＳエレメントの前記第１のセット中の前記Ｓ個のメンバーのうちのどのＱ個が前記測定報告で表されるかを識別するインジケータをさらに含む、
方法（８００）。
【請求項２】
無線通信ネットワークにおけるチャネル状態情報参照信号（ＣＳＩ−ＲＳ）エレメントを測定するための方法（１０００）であって、前記方法（１０００）は、無線デバイス（５０）において、
前記無線通信ネットワークから、第１のＫビットインジケータを含むメッセージを受信すること（１００２）と、
Ｎ個のＣＳＩ−ＲＳエレメントのセットからＣＳＩ−ＲＳエレメントの第１のセットを識別するために前記第１のＫビットインジケータを使用すること（１００４）であって、各ＣＳＩ−ＲＳエレメントが、リソースエレメントの時間周波数グリッド中の少なくとも１つのリソースエレメントに対応し、Ｋ＜Ｎである、使用すること（１００４）と、
ＣＳＩ−ＲＳエレメントの前記識別された第１のセットに対して測定を実施すること（１００６）と、
前記無線通信ネットワークに、ＣＳＩ−ＲＳエレメントの前記第１のセットのうちの少なくとも１つに対応する測定報告を送ること（１００８）と
を含み、
前記第１のＫビットインジケータが、Ｋビットインジケータの所定のセットのうちの１つであり、ここで、Ｋビットインジケータの前記所定のセットの各メンバーは、Ｋビットインジケータの前記所定のセットのうちの第１のサブセットの各メンバーが、前記Ｎ個のＣＳＩ−ＲＳエレメントのうちの単一のＣＳＩ−ＲＳエレメントを一意に示すように、および前記所定のセットの第２のサブセットの各メンバーが、前記Ｎ個のＣＳＩ−ＲＳエレメントのうちの２つまたはそれ以上の所定のグループを一意に示すように、所定のマッピングに従って、前記Ｎ個のＣＳＩ−ＲＳの中からのＣＳＩ−ＲＳエレメントまたはＣＳＩ−ＲＳエレメントのグループに一意に対応し、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２Ｓ）に等しく、Ｓが、ＣＳＩ−ＲＳエレメントの前記第１のセット中のメンバーの数に等しい、又は、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２ＳＭＡＸ）に等しく、ＳＭＡＸが、Ｋビットインジケータの前記所定のセットを用いて示され得る前記Ｎ個のＣＳＩ−ＲＳエレメントのうちの２つまたはそれ以上の前記所定のグループのうちのいずれか１つ中のメンバーの最大数に等しい、又は、
前記測定報告が、前記ＣＳＩ−ＲＳエレメントのうちのＱ個についての測定データを含み、ここで、１＜Ｑ＜Ｓであり、Ｓが、ＣＳＩ−ＲＳエレメントの前記第１のセット中のメンバーの数であり、前記測定報告が、ＣＳＩ−ＲＳエレメントの前記第１のセット中の前記Ｓ個のメンバーのうちのどのＱ個が前記測定報告で表されるかを識別するインジケータをさらに含む、
方法（１０００）。
【請求項３】
Ｋ＞ｃｅｉｌ（ｌｏｇ２Ｎ）又はＫ＝ｃｅｉｌ（ｌｏｇ２Ｎ）＋１である、請求項２に記載の方法（１０００）。
【請求項４】
前記Ｎ個のＣＳＩ−ＲＳエレメントの各々が、直交周波数分割多重（ＯＦＤＭ）リソースエレメントグリッド中のリソースエレメントのペアを含み、各ＣＳＩ−ＲＳエレメントについて、ＣＳＩ−ＲＳシンボルが、第１のアンテナ偏波をもつリソースエレメントの前記ペアのうちの一方中で送信され、ＣＳＩ−ＲＳが、第２のアンテナ偏波をもつリソースエレメントの前記ペアのうちの他方中で送信され、前記第２のアンテナ偏波が前記第１のアンテナ偏波に実質的に直交し、ＣＳＩ−ＲＳエレメントの前記識別された第１のセットに対して測定を実施することは、各ＣＳＩ−ＲＳエレメントについて、リソースエレメントの前記ペアの測定を組み合わせることを含む、請求項２又は３に記載の方法（１０００）。
【請求項５】
Ｋビットインジケータの前記所定のセットのうちの前記第１のサブセットが、前記Ｎ個のＣＳＩ−ＲＳエレメントのうちの単一のＣＳＩ−ＲＳエレメントを各々一意に示すＮ個のインジケータからなる、請求項２から４のいずれか一項に記載の方法（１０００）。
【請求項６】
Ｎが、２のべき乗であり、Ｋ＝ｌｏｇ２Ｎ＋１である、請求項２から５のいずれか一項に記載の方法（１０００）。
【請求項７】
Ｋビットインジケータの前記所定のセットのうちの前記第１のサブセットが、前記Ｎ個のＣＳＩ−ＲＳエレメントのうちの単一のＣＳＩ−ＲＳエレメントを各々一意に示すＮ個のインジケータからなり、前記第２のサブセットが、前記Ｎ個のＣＳＩ−ＲＳエレメントからの２つのＣＳＩ−ＲＳエレメントのグループを各々一意に識別するＮ／２個のインジケータを含む、請求項６に記載の方法（１０００）。
【請求項８】
Ｋ≧８であり、前記第２のサブセットが、前記Ｎ個のＣＳＩ−ＲＳエレメントからの４つのＣＳＩ−ＲＳエレメントのグループを各々一意に識別するＮ／４個のインジケータをさらに含む、請求項７に記載の方法（１０００）。
【請求項９】
前記第２のサブセットは、すべてのＮ個のＣＳＩ−ＲＳエレメントが測定されるべきであることを示す１つのインジケータを含む、請求項２から８のいずれか一項に記載の方法（１０００）。
【請求項１０】
前記Ｋビットインジケータを含む前記メッセージが、ダウンリンク制御情報（ＤＣＩ）メッセージである、請求項２から９のいずれか一項に記載の方法（１０００）。
【請求項１１】
無線通信ネットワークにおけるチャネル状態情報参照信号（ＣＳＩ−ＲＳ）エレメントの測定を制御するように設定された、前記無線通信ネットワークの１つまたは複数のノード（３０）であって、前記１つまたは複数のノード（３０）は、
トランシーバ回路要素（３６）と、
前記トランシーバ回路要素（３６）に動作可能に結合された処理回路要素（３２）とを備え、前記処理回路要素（３２）は、
Ｎ個のＣＳＩ−ＲＳエレメントのうちの１つまたは複数の各々中でＣＳＩ−ＲＳシンボルを送信することであって、セット中の各ＣＳＩ−ＲＳエレメントが、リソースエレメントの時間周波数グリッド中の少なくとも１つのリソースエレメントに対応する、送信することと、
前記Ｎ個のＣＳＩ−ＲＳエレメントから、第１の無線デバイス（５０）によって測定されるべきＣＳＩ−ＲＳエレメントの第１のセットを選択することであって、前記第１のセットが、前記Ｎ個のＣＳＩ−ＲＳエレメントのうちの１つまたは複数を含む、選択することと、
前記第１の無線デバイス（５０）に、ＣＳＩ−ＲＳエレメントの前記第１のセットを識別する第１のＫビットインジケータを含むメッセージを送信することであって、Ｋ＜Ｎである、送信することと、
前記メッセージに応答して、前記第１の無線デバイス（５０）から、ＣＳＩ−ＲＳエレメントの前記第１のセットのうちの少なくとも１つに対応する測定報告を受信することと
を行うように設定され、
前記第１のＫビットインジケータが、Ｋビットインジケータの所定のセットのうちの１つであり、ここで、Ｋビットインジケータの前記所定のセットの各メンバーは、Ｋビットインジケータの前記所定のセットのうちの第１のサブセットの各メンバーが、前記Ｎ個のＣＳＩ−ＲＳエレメントのうちの単一のＣＳＩ−ＲＳエレメントを一意に示すように、および前記所定のセットの第２のサブセットの各メンバーが、前記Ｎ個のＣＳＩ−ＲＳエレメントのうちの２つまたはそれ以上の所定のグループを一意に示すように、所定のマッピングに従って、前記Ｎ個のＣＳＩ−ＲＳの中からのＣＳＩ−ＲＳエレメントまたはＣＳＩ−ＲＳエレメントのグループに一意に対応し、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２Ｓ）に等しく、Ｓが、ＣＳＩ−ＲＳエレメントの前記第１のセット中のメンバーの数に等しい、又は、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２ＳＭＡＸ）に等しく、ＳＭＡＸが、Ｋビットインジケータの前記所定のセットを用いて示され得る前記Ｎ個のＣＳＩ−ＲＳエレメントのうちの２つまたはそれ以上の前記所定のグループのうちのいずれか１つ中のメンバーの最大数に等しい、又は、
前記測定報告が、前記ＣＳＩ−ＲＳエレメントのうちのＱ個についての測定データを含み、ここで、１＜Ｑ＜Ｓであり、Ｓが、ＣＳＩ−ＲＳエレメントの前記第１のセット中のメンバーの数であり、前記測定報告が、ＣＳＩ−ＲＳエレメントの前記第１のセット中の前記Ｓ個のメンバーのうちのどのＱ個が前記測定報告で表されるかを識別するインジケータをさらに含む、
１つまたは複数のノード（３０）。
【請求項１２】
無線通信ネットワークにおけるチャネル状態情報参照信号（ＣＳＩ−ＲＳ）エレメントを測定するように設定された無線デバイス（５０）であって、前記無線デバイス（５０）は、
トランシーバ回路要素（５６）と、
前記トランシーバ回路要素（５６）に動作可能に結合された処理回路要素（５２）とを備え、前記処理回路要素（５２）は、
前記無線通信ネットワークから、第１のＫビットインジケータを含むメッセージを受信することと、
Ｎ個のＣＳＩ−ＲＳエレメントからＣＳＩ−ＲＳの第１のセットを識別するために前記第１のＫビットインジケータを使用することであって、各ＣＳＩ−ＲＳエレメントが、リソースエレメントの時間周波数グリッド中の少なくとも１つのリソースエレメントに対応し、Ｋ＜Ｎである、使用することと、
識別されたＣＳＩ−ＲＳエレメントの前記第１のセットに対して測定を実施することと、
前記無線通信ネットワークに、ＣＳＩ−ＲＳエレメントの前記第１のセットのうちの少なくとも１つに対応する測定報告を送ることと
を行うように設定され、
前記第１のＫビットインジケータが、Ｋビットインジケータの所定のセットのうちの１つであり、ここで、Ｋビットインジケータの前記所定のセットの各メンバーは、Ｋビットインジケータの前記所定のセットのうちの第１のサブセットの各メンバーが、前記Ｎ個のＣＳＩ−ＲＳエレメントのうちの単一のＣＳＩ−ＲＳエレメントを一意に示すように、および前記所定のセットの第２のサブセットの各メンバーが、前記Ｎ個のＣＳＩ−ＲＳエレメントのうちの２つまたはそれ以上の所定のグループを一意に示すように、所定のマッピングに従って、前記Ｎ個のＣＳＩ−ＲＳの中からのＣＳＩ−ＲＳエレメントまたはＣＳＩ−ＲＳエレメントのグループに一意に対応し、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２Ｓ）に等しく、Ｓが、ＣＳＩ−ＲＳエレメントの前記第１のセット中のメンバーの数に等しい、又は、
前記測定報告が、ＣＳＩ−ＲＳエレメントの前記第１のセット中の前記ＣＳＩ−ＲＳエレメントのうちの１つを示すＭビットインジケータを含み、ここで、Ｍが、ｃｅｉｌ（ｌｏｇ２ＳＭＡＸ）に等しく、ＳＭＡＸが、Ｋビットインジケータの前記所定のセットを用いて示され得る前記Ｎ個のＣＳＩ−ＲＳエレメントのうちの２つまたはそれ以上の前記所定のグループのうちのいずれか１つ中のメンバーの最大数に等しい、又は、
前記測定報告が、前記ＣＳＩ−ＲＳエレメントのうちのＱ個についての測定データを含み、ここで、１＜Ｑ＜Ｓであり、Ｓが、ＣＳＩ−ＲＳエレメントの前記第１のセット中のメンバーの数であり、前記測定報告が、ＣＳＩ−ＲＳエレメントの前記第１のセット中の前記Ｓ個のメンバーのうちのどのＱ個が前記測定報告で表されるかを識別するインジケータをさらに含む、
無線デバイス（５０）。
【発明の詳細な説明】
【技術分野】
【０００１】
本開示は、一般に、無線通信ネットワークに関し、より詳細には、そのようなネットワークにおけるチャネル状態情報参照信号（ＣＳＩ−ＲＳ：ｃｈａｎｎｅｌ−ｓｔａｔｅ  ｉｎｆｏｒｍａｔｉｏｎ  ｒｅｆｅｒｅｎｃｅ  ｓｉｇｎａｌ）の測定を制御するための技法に関する。
【背景技術】
【０００２】
第３世代パートナーシッププロジェクト（３ＧＰＰ）のメンバーによって規格化され、今日広く展開されているＬｏｎｇ−Ｔｅｒｍ  Ｅｖｏｌｕｔｉｏｎ（ＬＴＥ）無線通信システムにおいて、チャネル状態情報参照信号（ＣＳＩ−ＲＳ）と呼ばれる参照シンボルシーケンスが、（３ＧＰＰ用語では、ｅノードＢ、または、ｅＮＢと呼ばれる）基地局によって送信される。これらのＣＳＩ−ＲＳは、受信無線デバイス（３ＧＰＰ用語では、「ユーザ機器」または「ＵＥ」）によって測定され、得られた測定値が、基地局から無線デバイスへのチャネルを推定するために使用される。重要なことには、これらの測定値は、基地局のアンテナから無線デバイスまでの伝搬状態だけでなく、アンテナ利得、偏波、および送信の任意のマルチアンテナ態様をも反映する。したがって、異なるアンテナまたはアンテナの異なる組合せを異なるＣＳＩ−ＲＳエレメントにマッピングすることと、これらのエレメントの各々に関して測定および報告するようにＵＥを設定することとによって、ネットワークは、どのアンテナまたはアンテナのどの組合せが、最も有効なチャネルをＵＥに与えるかを決定することができる。
【０００３】
特定のＵＥまたはＵＥのグループをターゲットにしたＣＳＩ−ＲＳが、非ゼロ電力ＣＳＩ−ＲＳ（ＮＺＰ  ＣＳＩ−ＲＳ：ｎｏｎ−ｚｅｒｏ−ｐｏｗｅｒ  ＣＳＩ−ＲＳ）と呼ばれることがある。ＵＥはまた、いわゆるゼロ電力ＣＳＩ−ＲＳ（ＺＰ  ＣＳＩ−ＲＳ：ｚｅｒｏ  ｐｏｗｅｒ  ＣＳＩ−ＲＳ）で設定され（すなわち、ＺＰ  ＣＳＩ−ＲＳを通知され）得る。ＺＰ  ＣＳＩ−ＲＳは、主に干渉測定リソース指示のために使用され得る。１つのＵＥのためのＺＰ  ＣＳＩ−ＲＳが、同じセル内のまたはネイバーセル内の１つまたは複数の他のＵＥのための（ＮＺＰ）ＣＳＩ−ＲＳに対応し得る。ＺＰ  ＣＳＩ−ＲＳリソースが設定されたＵＥは、物理ダウンリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）マッピングが、ＺＰ  ＣＳＩ−ＲＳに対応するリソースエレメント、ならびにＮＺＰ  ＣＳＩ−ＲＳをもつリソースエレメントを回避すると仮定するべきである。
【０００４】
ＮＺＰ  ＣＳＩ−ＲＳは、データ信号の復調のために使用されず、したがって、復調用ＲＳ（ＤＭＲＳ）と同じ密度を必要としない（すなわち、ＮＺＰ  ＣＳＩ−ＲＳのオーバーヘッドは、実質的により小さい）。ＤＭＲＳと比較して、ＮＺＰ  ＣＳＩ−ＲＳは、ＣＳＩフィードバック測定を設定するためのはるかに柔軟な手段を与える。たとえば、ネットワークは、ＵＥ固有様式で、ＵＥに対するいくつかの利用可能なＮＺＰ  ＣＳＩ−ＲＳリソースのうちのどの特定のＮＺＰ  ＣＳＩ−ＲＳをＵＥが測定すべきかを設定し得る。
【０００５】
ＮＺＰ  ＣＳＩ−ＲＳに関して測定することによって、ＵＥは、無線伝搬チャネルおよびアンテナ利得を含めて、ＮＺＰ  ＣＳＩ−ＲＳが横断した有効チャネルを推定することができる。数学的用語では、これは、既知のＮＺＰ  ＣＳＩ−ＲＳ信号ｘが送信された場合、ＵＥが、送信信号と受信信号との間の結合（すなわち、有効チャネル）を推定することができることを意味する。したがって、送信において仮想化が実施されない場合、受信信号ｙは、
ｙ＝Ｈｘ＋ｅ  （式１）
として表され得、ＵＥは、有効チャネルＨを推定することができる。
【０００６】
ＬＴＥにおいて、３ＧＰＰ仕様のリリース１１では、ＵＥのために最高８つのＮＺＰ  ＣＳＩ−ＲＳポートが設定され得、ここで、「ポート」は、ＬＴＥダウンリンク信号の各サブフレームを構成する直交周波数分割多重（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）時間周波数グリッド中のリソースエレメントのあらかじめ規定されたセットに対応する。ネットワーク側において、ｅＮＢは、任意の送信アンテナまたは送信アンテナの組合せを所与のポートにマッピングすることができる。したがって、ＵＥのために設定された各ＣＳＩ−ＲＳポートに対応する特定のリソースエレメントに対して測定を実施することによって、ＬＴＥのための３ＧＰＰ仕様のリリース１１に準拠するＵＥは、したがって、最高８つの送信アンテナポートからチャネルを推定することができる。
【０００７】
図１Ａ、図１Ｂ、および図１Ｃに見られるように、多くの異なるＮＺＰ  ＣＳＩ−ＲＳパターンがＬＴＥにおいて利用可能であり、ここで、ＬＴＥダウンリンクサブフレームへのＣＳＩ−ＲＳポートのマッピングは、２つのＣＳＩ−ＲＳポートが使用されているのか、４つのＣＳＩ−ＲＳポートが使用されているのか、８つのＣＳＩ−ＲＳポートが使用されているのかに依存する（本明細書では、「ＣＳＩ−ＲＳポート」、「ＣＳＩ−ＲＳアンテナポート」、および「アンテナポート」という用語は、特定のＣＳＩ−ＲＳ測定リソースとして識別される特定のリソースエレメントと、ｅＮＢにおける送信アンテナまたはアンテナの組合せに暗黙的にマッピングされる特定のリソースエレメントとを指すために、互換的に使用され得る）。より詳細には、図１Ａ〜図１Ｃは、２つＣＳＩ−ＲＳポートの場合、４つのＣＳＩ−ＲＳポートの場合、および８つのＣＳＩ−ＲＳポートの場合について、リソースブロックペアにわたる、ＬＴＥダウンリンク信号のための時間周波数リソースエレメントグリッドを示す。
【０００８】
図１Ａから、２つのＣＳＩ−ＲＳアンテナポートの場合について、サブフレーム内に２０個の異なるパターンがあることがわかり得、所与のＵＥが、２０個の異なるパターンのうちの任意の１つまたは複数を測定するように設定され得、所与のＵＥはさらに、２０個の異なるパターンうちの１つまたは複数が、その特定のＵＥに関するＺＰ  ＣＳＩ−ＲＳリソースであることを示す情報で設定され得る。パターンの対応する数は、４つのＣＳＩ−ＲＳアンテナポートに関与する設定および８つのＣＳＩ−ＲＳアンテナポートに関与する設定について、それぞれ１０個および５つである。これは、図１Ｂおよび図１Ｃに示されている。時分割複信（ＴＤＤ）設定において動作するＬＴＥシステムの場合、いくつかの追加のＣＳＩ−ＲＳパターンが利用可能である。
【０００９】
３ＧＰＰは、現在「新無線（Ｎｅｗ  Ｒａｄｉｏ）」またはＮＲと呼ばれている、新しい第５世代（５Ｇ）無線アクセス技術のための仕様を開発し始めた。３ＧＰＰのメンバーは、ＮＲが、「常時接続（ａｌｗａｙｓ−ｏｎ）」信号の送信が最小化または除去されるべきであるという点で、「ウルトラリーン（ｕｌｔｒａ−ｌｅａｎ）」設計を利用するべきであることを含む、ＮＲのための数個の設計原理に関して初期合意に達した。さらに、ＮＲが最高１００ＧＨｚの周波数範囲を考慮することになることが、共通理解である。ＬＴＥに割り当てられた現在の周波数帯域と比較して、新しい帯域の一部は、より低い回折およびより高い屋外／屋内透過損失など、はるかに難しい伝搬特性を有することになる。したがって、信号は、角を曲がって伝搬し、壁を透過するより少ない能力を有することになる。さらに、高周波数帯域では、大気／雨減衰およびより高いボディ損失が、ＮＲ信号のカバレッジをよりむらがあるようにさえする。幸いにも、より高い周波数での動作は、より小さいアンテナエレメントを使用することを可能にし、これは、本明細書では「ｇＮＢ」と呼ばれることがあるＮＲアクセスノードにおける、多くのアンテナエレメントを用いたアンテナアレイの展開を可能にする。そのようなアンテナアレイはビームフォーミングを容易にし、ここで、狭いビームを形成するために複数のアンテナエレメントが使用され、それにより、難しい伝搬特性を補償する。これらの理由で、カバレッジを与えるためにＮＲがビームフォーミングに依拠することになることが、広く受け入れられ、これは、ＮＲがしばしばビームベースシステム（ｂｅａｍ−ｂａｓｅｄ  ｓｙｓｔｅｍ）と呼ばれることを意味する。
【００１０】
ＮＲでは、ＬＴＥにおいて採用されたようなチャネル状態推定に対する同様の手法が予見される。しかしながら、ＮＲでは、ダウンリンク信号は、ＬＴＥサブフレーム全体にわたって分散されるセル固有参照シンボル（ＣＲＳ：ｃｅｌｌ−ｓｐｅｃｉｆｉｃ  ｒｅｆｅｒｅｎｃｅ  ｓｙｍｂｏｌ）を含むことが予想されない。これは、ＣＳＩ−ＲＳの配置が、ＬＴＥにおけるものよりも柔軟であり得ることを意味する。
【００１１】
ＮＺＰ  ＣＳＩ−ＲＳをＮＲダウンリンクサブフレームの１つまたは少数のＯＦＤＭシンボルに配置することに関する議論がある。図２は、たとえば、ＣＳＩ−ＲＳをスロット（７つのシンボル、すなわちサブフレームの１／２）の１つのＯＦＤＭシンボルに配置することを示す。図に見られるように、第１のＯＦＤＭシンボルは、ＵＥについてのダウンリンク制御情報（ＤＣＩ：ｄｏｗｎｌｉｎｋ  ｃｏｎｔｒｏｌ  ｉｎｆｏｒｍａｔｉｏｎ）を搬送する制御チャネルを含んでいるが、次のＯＦＤＭシンボルは、制御チャネルを復調する際のＵＥによる使用のための復調用参照シンボル（ＤＭＲＳ：ｄｅｍｏｄｕｌａｔｉｏｎ  ｒｅｆｅｒｅｎｃｅ  ｓｙｍｂｏｌ）を搬送する。図示の例における第３のシンボルは、ＣＳＩ−ＲＳシンボルを搬送する。
【００１２】
ＣＳＩ−ＲＳリソースまたはＣＳＩ−ＲＳエレメントは、１つまたは複数のアンテナポートのための参照信号を含む。参照信号は、周波数帯域幅全体にわたって、あるいはあらかじめ規定されたまたは設定可能な部分帯域幅において繰り返され得る。「ＣＳＩ−ＲＳリソース」および「ＣＳＩ−ＲＳエレメント」という用語は、「リソースエレメント」という用語と混同されるべきでなく、「リソースエレメント」という用語は、本明細書ではＯＦＤＭ時間周波数グリッド中の最も小さい時間周波数リソースを指すために使用されることに留意されたい。
【００１３】
ＣＳＩ−ＲＳリソースを作成する１つの可能性は、２つのアンテナポートを有するＣＳＩ−ＲＳエレメントが導入されることである。ＣＳＩ−ＲＳエレメントをアグリゲートすることによって、任意の数のアンテナポートをもつＣＳＩ−ＲＳ設定が得られ得る。アンテナポートが、参照信号に相当するか、または参照信号の抽象化として理解され得ることに留意されたい。ＵＥが「アンテナポート」を測定する場合、ＵＥは、その所与のアンテナポートについて送信側から受信側へのチャネルを測定する。たとえば、空間送信ダイバーシティが使用される場合、一般に、空間ダイバーシティを与えるために２つの別個のアンテナポートが使用され、これは、メッセージを復調するために、ＵＥが２つのチャネルを推定しなければならないことを意味する。
【００１４】
図２では、各ＣＳＩ−ＲＳが別個のアンテナポートに対応することができ、その場合、図は、周波数多重化された合計１２個のＣＳＩ−ＲＳアンテナポートを示す。ダウンリンク信号のためのこの例示的な設定を仮定すれば、ＵＥは、使用事例に応じて、これらのＣＳＩ−ＲＳポートのうちの１つに関して、または１２個のＣＳＩ−ＲＳポートのすべてに関して測定するように設定され得る。したがって、各々が単一のアンテナポートをもつ１２個のＣＳＩ−ＲＳリソースは、ＣＳＩ−ＲＳリソースのプールまたはセットと見なされ得る。
【００１５】
ビームフォーミングされたＣＳＩ−ＲＳが使用されるとき、各ビームは、二重偏波アンテナアレイが使用される場合、一般に２つの偏波を有する。ビームが、離散フーリエ変換（ＤＦＴ）ベースのプリコーダなど、あるマルチアンテナプリコーダによって作成される。したがって、ＤＦＴ構造を有するそのようなプリコーダのうちの異なるプリコーダが、異なる方位角方向を指す透過ビームを生成する。２次元アンテナアレイが位相制御可能アンテナエレメントとともに使用されることがあり、ビームが所望の仰角方向および方位角方向においてステアリングされ得るように、ＤＦＴプリコーダが垂直方向と水平方向の両方において使用される。そのようなシステムでは、２つのポートのサイズを有するＣＳＩ−ＲＳエレメントがビームごとに使用され得、この場合、２つのポートの各グループが、異なるビームに対応し得る。したがって、ＵＥは、アグリゲートされた２ポートＣＳＩ−ＲＳエレメントのＣＳＩ−ＲＳリソースを使用することによって、ビームのセット中の各ビームについてのチャネル品質を測定および報告するように設定され得る。
【００１６】
ビームフォーミングされていないＣＳＩ−ＲＳが使用される場合、より多数のポート、たとえば、３２個が必要とされる。２つのポートを各々もつＣＳＩ−ＲＳエレメントのアグリゲーションは、この場合も有用である。
【００１７】
詳細は確立されていないが、３ＧＰＰメンバーは、ＵＥが測定を実施するためにどのリソースを使用するかに関する、ｇＮＢからＵＥへの動的シグナリングとともに、ＣＳＩ−ＲＳリソースのセット（またはプール）の使用について議論した。しかしながら、プールが大きい場合、シグナリングオーバーヘッドは望ましくなく大きい。たとえば、プールが３２個のリソースからなる場合、選択されたリソースの任意の設定をシグナリングするために３２ビットのビットマップが必要とされる。これは、大きいシグナリングオーバーヘッドを生じる。別の問題は、測定の必要が、ＵＥ固有、ならびに時間依存であることである。単一のリソースを測定することが十分であることがあり、リソースの大きいセットが必要とされることがある。したがって、シグナリングオーバーヘッドを低減しながら、シグナリングにおけるそのような柔軟性を与えるためのソリューションが必要とされる。
【発明の概要】
【００１８】
本開示の技法および装置のいくつかの実施形態は、可変アグリゲーションサイズのＣＳＩ−ＲＳ設定を可能にするために、ＣＳＩ−ＲＳエレメントアグリゲーションのためのツリー構造を採用することによって、これらの問題に対処し、ここで、ツリー構造は、より大きいアグリゲーションサイズが、より小さいアグリゲーションサイズのアグリゲーションと重複するようなやり方で規定される。ツリー構造は、ビームフォーミングに関するフィールド測定によって誘導され、フィールド測定は、すべてのビームが実際的展開において等しく利用されるとは限らないことを証明し、これは、好適なビームの間の相関があることを意味する。
【００１９】
様々な実施形態によれば、次いで、ｇＮＢからＵＥへのシグナリングは、ツリー構造へのインデックスマッピングを利用する。インデックスによって示されたアグリゲートされたＣＳＩ−ＲＳリソースに対して測定を実施した後、ＵＥは、リソースのサブセット選択を実施し、次いで、測定の１つまたは複数の結果をｇＮＢに折り返し報告し得る。以下で詳細に証明されるように、このシグナリング手法は、ＣＳＩ−ＲＳリソースの任意の設定のシグナリングを可能にするであろうビットマップの使用と比較して、ＣＳＩ測定のために使用されるリソースを設定する際のシグナリングオーバーヘッドの低減を生じる。
【００２０】
いくつかの実施形態によれば、無線通信ネットワークにおけるＣＳＩ−ＲＳエレメントの測定を制御するための方法が、無線通信ネットワークの１つまたは複数のノードにおいて、Ｎ個のＣＳＩ−ＲＳエレメントの各々中でＣＳＩ−ＲＳシンボルを送信することであって、セット中の各ＣＳＩ−ＲＳエレメントが、リソースエレメントの時間周波数グリッド中の少なくとも１つのリソースエレメントに対応する、送信することを含む。本方法は、Ｎ個のＣＳＩ−ＲＳエレメントから、第１の無線デバイスによって測定されるべきＣＳＩ−ＲＳエレメントの第１のセットを選択することであって、第１のセットが、Ｎ個のＣＳＩ−ＲＳエレメントのうちの１つまたは複数を含む、選択することと、第１の無線デバイスに、ＣＳＩ−ＲＳエレメントの第１のセットを識別する第１のＫビットインジケータを含むメッセージを送信することであって、Ｋ＜Ｎである、送信することとをも含む。本方法は、メッセージに応答して、第１の無線デバイスから、ＣＳＩ−ＲＳエレメントの第１のセットのうちの少なくとも１つに対応する測定報告を受信することをさらに含む。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。
【００２１】
いくつかの実施形態によれば、無線通信ネットワークにおけるＣＳＩ−ＲＳエレメントを測定するための方法が、無線デバイスにおいて、無線通信ネットワークから、第１のＫビットインジケータを含むメッセージを受信することを含む。本方法は、Ｎ個のＣＳＩ−ＲＳエレメントからのＣＳＩ−ＲＳの第１のセットを識別するために第１のＫビットインジケータを使用することであって、各ＣＳＩ−ＲＳエレメントが、リソースエレメントの時間周波数グリッド中の少なくとも１つのリソースエレメントに対応し、Ｋ＜Ｎである、使用することをも含む。本方法は、ＣＳＩ−ＲＳエレメントの識別された第１のセットに対して測定を実施することと、無線通信ネットワークに、ＣＳＩ−ＲＳエレメントの第１のセットのうちの少なくとも１つに対応する測定報告を送ることとをさらに含む。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。
【００２２】
いくつかの実施形態によれば、無線通信ネットワークにおけるＣＳＩ−ＲＳエレメントの測定を制御するように設定された、無線通信ネットワークの１つまたは複数のノードが、トランシーバ回路要素と、トランシーバ回路要素に動作可能に結合された処理回路要素とを含む。処理回路要素は、Ｎ個のＣＳＩ−ＲＳエレメントのうちの１つまたは複数の各々中でＣＳＩ−ＲＳシンボルを送信することであって、セット中の各ＣＳＩ−ＲＳエレメントが、リソースエレメントの時間周波数グリッド中の少なくとも１つのリソースエレメントに対応する、送信することを行うように設定される。処理回路要素は、Ｎ個のＣＳＩ−ＲＳエレメントから、第１の無線デバイスによって測定されるべきＣＳＩ−ＲＳエレメントの第１のセットを選択することであって、第１のセットが、Ｎ個のＣＳＩ−ＲＳエレメントのうちの１つまたは複数を含む、選択することと、第１の無線デバイスに、ＣＳＩ−ＲＳエレメントの第１のセットを識別する第１のＫビットインジケータを含むメッセージを送信することであって、Ｋ＜Ｎである、送信することとをも行うように設定される。処理回路要素は、メッセージに応答して、第１の無線デバイスから、ＣＳＩ−ＲＳエレメントの第１のセットのうちの少なくとも１つに対応する測定報告を受信するように設定される。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。
【００２３】
いくつかの実施形態によれば、無線通信ネットワークにおけるＣＳＩ−ＲＳエレメントを測定するように設定された無線デバイスが、トランシーバ回路要素と、トランシーバ回路要素に動作可能に結合された処理回路要素とを含む。処理回路要素は、無線通信ネットワークから、第１のＫビットインジケータを含むメッセージを受信するように設定される。処理回路要素は、Ｎ個のＣＳＩ−ＲＳエレメントからのＣＳＩ−ＲＳの第１のセットを識別するために第１のＫビットインジケータを使用することであって、ここで、各ＣＳＩ−ＲＳエレメントが、リソースエレメントの時間周波数グリッド中の少なくとも１つのリソースエレメントに対応し、Ｋ＜Ｎである、使用することを行うように設定される。処理回路要素は、ＣＳＩ−ＲＳエレメントの識別された第１のセットに対して測定を実施することと、無線通信ネットワークに、ＣＳＩ−ＲＳエレメントの第１のセットのうちの少なくとも１つに対応する測定報告を送ることとをも行うように設定される。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。
【００２４】
本発明のさらなる態様は、上記で要約された方法ならびに上記で要約されたノードおよび無線デバイスの機能的実装形態に対応する、装置、コンピュータプログラム製品またはコンピュータ可読記憶媒体を対象とする。もちろん、本発明は、上記の特徴および利点に限定されない。当業者は、以下の詳細な説明を読み、添付の図面を見ると、追加の特徴および利点を認識されよう。
【図面の簡単な説明】
【００２５】
【図１Ａ】ＬＴＥダウンリンク信号における可能なＣＳＩ−ＲＳパターンを示す図である。
【図１Ｂ】ＬＴＥダウンリンク信号における可能なＣＳＩ−ＲＳパターンを示す図である。
【図１Ｃ】ＬＴＥダウンリンク信号における可能なＣＳＩ−ＲＳパターンを示す図である。
【図２】ＮＲダウンリンクスロットにおけるＣＳＩ−ＲＳシンボルの可能な配置を示す図である。
【図３】４８個の方位角ビームをサポートするセル中の選択されたビームの例示的な分布を示す図である。
【図４】いくつかの実施形態による、物理レイヤＯＦＤＭグリッド中の２つのＲＥにマッピングされた、各々２つのポートの８つのＣＳＩ−ＲＳエレメントの場合の一例を示す図である。
【図５】いくつかの実施形態による、２ポートＣＳＩ−ＲＳエレメントの共有の一例を示す図である。
【図６】いくつかの実施形態による、８つのグループへのＣＳＩ−ＲＳエレメントのグループ化を示す図である。
【図７】いくつかの実施形態による、無線通信ネットワークの１つまたは複数のノードのうちの１つを示すブロック図である。
【図８】いくつかの実施形態による、１つまたは複数のノードによって実施される例示的な方法を示すプロセスフロー図である。
【図９】いくつかの実施形態による、無線デバイスを示すブロック図である。
【図１０】いくつかの実施形態による、無線デバイスによって実施される例示的な方法を示すプロセスフロー図である。
【図１１】いくつかの実施形態による、無線通信ネットワークの１つまたは複数のノードの機能的実装形態のブロック図である。
【図１２】いくつかの実施形態による、無線デバイスの機能的実装形態のブロック図である。
【発明を実施するための形態】
【００２６】
以下で、より詳細におよび添付の図面を参照しながら、本発明の例示的な実施形態による概念が説明される。図示の実施形態は、以下ではＵＥとも呼ばれる無線デバイスと、本明細書では「ｇＮＢ」とも呼ばれるアクセスノードまたは基地局とによって実施される、無線通信ネットワークにおけるチャネル状態推定に関する。無線通信ネットワークは、たとえば、次の３ＧＰＰ新無線（ＮＲ）技術など、５Ｇ無線アクセス技術（ＲＡＴ）に基づき得る。しかしながら、図示された概念が、他のＲＡＴにも適用され得ることを理解されたい。
【００２７】
モバイル電気通信および無線技術の第５世代は、まだ完全には規定されていないが、５Ｇ  ＮＲアクセス技術に関する作業を含む、３ＧＰＰ内の進行したドラフト段階にあることが諒解されよう。５Ｇでは異なる用語が指定されるが、本開示では先見的な意味において、ＬＴＥ用語が使用され、等価な５Ｇエンティティまたは機能を含む。たとえば、ＬＴＥにおけるｅＮＢは、ｇＮＢによって継承されることが予想され、ｇＮＢは、ｅＮＢの特性および能力のうちのいくつかを共有することが予想される。しかしながら、本明細書で説明される技法の適用が、これらのノードに付けられた名称によって、またはいくつかの信号に適用された名称によって、限定されないことが諒解されよう。
【００２８】
これまでの５Ｇ  ＮＲアクセス技術に関する合意の概略的な説明は、ドラフトバージョンがＲ１−１６１０８４８として公開されている、３ＧＰＰ  ＴＲ３８．８０２  Ｖ０．３．０（２０１６−１０）中に含まれている。最終仕様は、将来の３ＧＰＰ  ＴＳ３８．２＊＊シリーズにおいて公開され得る。
【００２９】
上記で示唆されたように、ＮＲ（または他の無線システム）は、Ｎ個のＣＳＩ−ＲＳエレメントのプールを利用することができ、ここで、各エレメントは、２つのポートなど、固定数のポートに対応する。測定リソースのこのプールは、（ビームにわたって）セル中でユーザがどのように動き回るかに応じて、または特定のユーザが、ビームフォーミングされたＣＳＩ−ＲＳを使用するのか、プリコーディングされていないＣＳＩ−ＲＳを使用するのかに応じて、セル中のユーザの間で動的に共有され得る。したがって、所与の時間において、所与のＵＥは、測定のためのダウンリンク信号中で潜在的に利用可能であるＮ個のＣＳＩ−ＲＳエレメントからの単一のＣＳＩ−ＲＳエレメントを測定するように設定され得るか、またはＮ個のＣＳＩ−ＲＳエレメントのうちのいくつか、さらにはすべてを測定するように設定され得る。複数のＵＥは、ＣＳＩ−ＲＳエレメントの同じ、別個の、または重複するセットを使用して、ＣＳＩ−ＲＳエレメントを同時に測定するように設定され得る。ｇＮＢは、ＵＥがどのＣＳＩ−ＲＳエレメントに関して測定するかを、ダウンリンク制御情報（ＤＣＩ）と呼ばれるダウンリンク制御メッセージ中でＵＥにシグナリングし得る。
【００３０】
セル中の多くの異なるＵＥロケーションに関する測定値から、可能なビームのセットにわたってビーム利用が均一である可能性が低いことが、発明者によって観測された。図３は、４８個の方位角ビームをサポートするセル中の選択されたビームの例示的な分布を示す。ビームインデックスによって識別されるビームの各々について、確率密度関数（ＰＤＦ：ｐｒｏｂａｂｉｌｉｔｙ  ｄｅｎｓｉｔｙ  ｆｕｎｃｔｉｏｎ）が示されている。図から、このセル中で識別され得る５つのプライマリ方向があることがわかり得る。図３に示されている例示的な分布に見られるように、いくつかのビームは頻繁に選択され、いくつかのビームはめったに選択されない。これは、カバーされたセル中の反射環境に関係がある。たとえば、ｇＮＢからある方向に建造物があることがあり、ここで、建造物は、セル中のＵＥのほうへその方向において送信されたビームを反射する。
【００３１】
この観察に基づいて、本明細書で説明される技法は、セル中のＵＥによって同時に測定され得るビームのセットにおける制限を導入し、これは、シグナリングのためのツリー構造として反映される。より詳細には、ツリー構造は、厳密にＣＳＩ−ＲＳエレメントのどの組合せがシグナリングされ得るかに関する制限を導入し、柔軟性におけるこの犠牲は、シグナリングのために必要とされるビット数の低減によって相殺される。各々２つのポートの８つのＣＳＩ−ＲＳエレメント、すなわち、各ＣＳＩ−ＲＳエレメントが、ＯＦＤＭ時間周波数グリッド中の２つのリソースエレメントにマッピングされる、例示的な設定について、例示的なツリー構造が図４に示されている。
【００３２】
図４に示されている例では、ＵＥは、ＤＣＩ中で送られた４ビット指示だけを用いて、８つのＣＳＩ−ＲＳエレメントの所定のセットのうちの１つまたは複数を測定するように命令され得る。異なるビームがｇＮＢによって８つの異なるＣＳＩ−ＲＳエレメントの各々にマッピングされる（垂直偏波および水平偏波がＣＳＩ−ＲＳエレメントごとに２つのリソースエレメントにマッピングされる）と仮定すると、この４ビット指示は、図４に示されている方式、すなわち、８つの異なる単一ビーム割振りと、（０１００、０１０１、１１００、または１１０１によって表される）４つの異なる２ビーム割振りと、（０１１０または１１１０によって表される）２つの異なる４ビーム割振りと、（０１１１によって表される）１つの８ビーム割振りとに従って、シグナリングすることができる。
【００３３】
ＣＳＩ−ＲＳエレメントの他のグループ化が可能であることが諒解されよう。さらに、この例におけるグループへの特定の４ビットインジケータの割振りが恣意的であることが理解されよう。しかしながら、図示の例は、特に整然とした手法であり、均一な階層を与え、したがって、ＵＥは、単純な４ビットインジケータを用いて１つのＣＳＩ−ＲＳエレメント、２つのＣＳＩ−ＲＳエレメント、４つのＣＳＩ−ＲＳエレメント、または８つのＣＳＩ−ＲＳエレメントのいずれかを測定するように命令され得る。
【００３４】
すべてのビームが、使用される可能性が等しいとは限らないという実現形態は、ｇＮＢが、単一のビームインジケータのために８つの最も強いビーム（本例では、００００、０００１、００１０、００１１、１０００、１００１、１０１０、１０１１）を使用することができるという点で利用され得る。これらのビームは「プライマリ」方向を指し、「プライマリ」方向のセットは、セル中の、ただし異なる程度の受信信号強度をもつＵＥによって共有される可能性がある。したがって、所与のＵＥは、この４ビットＤＣＩを使用することによって、可変の１、２、４、８、．．．個のビーム方向に関して測定するようにトリガされ得る。静止したＵＥの場合、たとえば、そのビーム方向をそう頻繁に変更する可能性がないので、ＣＳＩを更新するために単一のビーム方向が使用される。同様に、プライマリビーム方向の相対強度の更新を得るために、（この例では、８つなどの）多数のビームの測定が使用され得る。
【００３５】
すべてのビームが、サーブされるＵＥにわたって可能性が等しくある場合、測定すべきビームのセットを示すために、長さＮのビットマップまたは「Ｎ個からＫ個を選ぶ（Ｎ  ｃｈｏｏｓｅ  Ｋ）」シグナリング方式が必要とされ、このツリーベース構造よりもはるかに多いＤＣＩビットを必要とするであろうことに留意されたい。
【００３６】
図５は、この場合も、８つの２ポートＣＳＩ−ＲＳエレメントが利用可能である例に基づく、いくつかのＵＥ、ＵＥ  Ａ〜Ｅの間でのビーム共有の一例を示す。図に見られるように、ＵＥ  Ｄは、８つのビームすべてを測定するように命令されるが、ＵＥ  Ｃは、４つのビームのサブセットのみを測定するように命令される。ＵＥ  ＡおよびＢは、ＵＥ  Ｃが測定する４つのビームの２つの異なるサブセットに関して測定するが、ＵＥ  Ｅは単一のビームを測定する。ＵＥ  Ｆは、測定において、単一のビームのみをＵＥ  Ｄと共有する。したがって、システムが多数のビーム（たとえば４８個）を有しても、この測定事例では８つのビームのみが実際に使用される。いくつかのＵＥは、１つのＵＥが８つすべてを測定している間に、これら８つのうちの単一または数個のビームを測定する。
【００３７】
図４および図５の例示的な例は、８つの２ポートＣＳＩ−ＲＳエレメントの使用に基づく。本開示の技法は、任意の数のエレメントに拡張され得、２ポートＣＳＩ−ＲＳエレメントの使用に限定されない。より一般的には、各々が、それぞれのポートにマッピングされた１つまたは複数のリソースエレメントを含む、Ｎ個の利用可能なＣＳＩ−ＲＳエレメントを仮定すれば、ｇＮＢは、Ｎ個のＣＳＩ−ＲＳエレメントのうちのいくつかまたはすべてに関する参照信号を送信することができ、ＵＥは、Ｎ個のエレメントのうちの１つ、いくつか、またはすべてに関して測定することができる。様々な実施形態によれば、ｇＮＢは、Ｋビット識別子を送り、ここで、Ｋ＜Ｎであり、ここで、識別子の２Ｋ個の可能な値の第１のサブセットが各々、Ｎ個のＣＳＩ−ＲＳエレメントのうちの単一のそれぞれのＣＳＩ−ＲＳエレメントのみが測定されるべきであることを示し、識別子の２Ｋ個の可能な値の第２の（別個の）サブセットの各値が、測定されるべきである２つまたはそれ以上のＣＳＩ−ＲＳエレメントの特定の組合せを示す。
【００３８】
典型的な実施形態（ただし、必ずしもあらゆる実施形態とは限らない）では、第１のサブセットは、Ｎ個のＣＳＩ−ＲＳエレメントの各々が個々に識別され得るように、Ｎ個の異なる値を含むことになる。これは、たとえば、図４に示されている例の場合に当てはまる。
【００３９】
Ｎビットインジケータは、Ｎ個のＣＳＩ−ＲＳエレメントのあらゆる可能な組合せがシグナリングされることを可能にするであろう。しかしながら、上記で説明されたように、これは必要ではなく、したがって、Ｎビットインジケータは、シグナリングリソースの不経済な使用になるであろう。Ｋ＜Ｎであるという制限では、可能なサブセットのうちの多くとも１／２個がシグナリングされ得ること、すなわち、Ｋ＝Ｎ−１である場合が明らかであり得る。しかしながら、この数さえ、多くのシステムでは、必要である可能性があるものよりも多い。したがって、本開示の技法のいくつかの実施形態は、Ｋビットインジケータを利用し、ここで、Ｋ＝ｆｌｏｏｒ（ｌｏｇ２Ｎ）＋１またはＫ＝ｃｅｉｌ（ｌｏｇ２Ｎ）＋１である。（「床（ｆｌｏｏｒ）」関数は、非整数値を次に小さい整数に丸め、「天井（ｃｅｉｌ）」関数は、非整数値を次に大きい整数に丸める。）必ずしもそうであるとは限らないが、一般に、これらのインジケータ値のうちのＮ個が、個々のＣＳＩ−ＲＳエレメントを示すために使用されることになり、残りの値が、ＣＳＩ−ＲＳエレメントの１つまたは複数のグループを示すために使用される。Ｋ＝ｆｌｏｏｒ（ｌｏｇ２Ｎ）＋１ビットを使用することは、この目的のためにＮ個の値が利用可能であることを保証し、ＣＳＩ−ＲＳエレメントのグループをシグナリングするために少なくとも１つが残される。Ｋ＝ｃｅｉｌ（ｌｏｇ２Ｎ）＋１を使用することは、利用可能な少なくとも２Ｎ個の値があることを保証し、その結果、各ＣＳＩ−ＲＳエレメントを個々に示すことが可能であることに加えて、ＣＳＩ−ＲＳエレメントのＮ個またそれ以上のグループを識別することが可能である。しかしながら、いくつかの実施形態では、Ｋは、ｃｅｉｌ（ｌｏｇ２Ｎ）よりも大きいが、依然としてＮよりも小さい何らかの他の値であり得、多くのグループ、ただし、２＾Ｎ個の配置の全列挙のすべてよりも少ない列挙を示すための余地を可能にする。
【００４０】
図４に示されている例を含む、いくつかの実施形態では、Ｎは２のべき乗であり、識別子のためにｌｏｇ２Ｎ＋１ビットが使用され、識別子のための値のうちのＮ個が単一のＣＳＩ−ＲＳエレメントに対応する。残りのＮ個の値は各々、ＣＳＩ−ＲＳエレメントの組合せにマッピングされ得る。図示の例では、これは、整然としたマッピングおよび階層的グループ化であり、ここで、Ｎ個のインジケータ値が、単一のＣＳＩ−ＲＳエレメントを一意に示し、Ｎ／２個のインジケータ値が、２つのＣＳＩ−ＲＳエレメントのグループを一意に識別し、Ｎ／４個のインジケータ値が、４つのＣＳＩ−ＲＳエレメントのグループを一意に識別するなどであるが、いくつかの実施形態では、ｇＮＢとＵＥの両方が、ＣＳＩ−ＲＳエレメントおよびＣＳＩ−ＲＳエレメントグループへのインジケータ値のマッピングに関して合意する限り、グループ化およびマッピングは恣意的であり得る。
【００４１】
ＮＲの議論では、３２ポートＣＳＩ−ＲＳリソースの使用は、実用的な仮定である。下記の議論は、本技法がこの使用事例にどのように適用され得るかについて説明する。
【００４２】
２ポートＣＳＩ−ＲＳエレメントは、上記で説明されたように、２つのＯＦＤＭシンボル、好ましくは連続するＯＦＤＭシンボルにわたってマッピングされた８つのエレメントのグループにさらにグループ化され得る。したがって、各そのようなグループは、１６個のポートを含んでおり、３つのそのようなグループは、２つのリソースブロック（すなわち、２×１２＝２４個のサブキャリア）にマッピングされ得る。これは、図６に示されている。
【００４３】
このマッピングを仮定すれば、図４中で上記に示されたものと同じツリー構造が、８つの２ポートＣＳＩ−ＲＳエレメントのこれらのグループの各々内で使用され得、したがって、グループ内のＣＳＩ−ＲＳエレメントを識別するために、４ビットインジケータが使用され得る。グループを示すために、追加のＤＣＩシグナリングが使用される。３つのグループ同士を区別するために２ビットが必要とされることに留意されたい。
【００４４】
２つのそのようなグループを示すことによって、３２ポートのアグリゲートされたリソースが取得され得る。次いで、図６に示されている２つのＲＢは、所望の測定帯域幅にわたって繰り返され得、したがって、この例では、各ポートが２つのＲＢごとに１回測定される。
【００４５】
シグナリングは、ＤＣＩにおいて動的であるので、単一ＣＳＩ−ＲＳエレメント（２つのポート）ならびに４ポート、８ポート、１６ポート、または３２ポートＣＳＩ−ＲＳリソースをシグナリングすることは、このタイプの圧縮されたおよびツリーベース／階層的シグナリング構造を使用することによって可能である。この例では、６ビットが必要とされることに留意されたい。
【００４６】
フィードバックシグナリングのためのいくつかの手法が可能であり、すなわち、ここで、ＵＥはその測定値を報告し、測定されたＣＳＩ−ＲＳエレメントのうちの１つまたは複数を識別する。いくつかの実施形態では、シグナリングペイロードは、測定するようにＵＥに示されたＣＳＩ−ＲＳエレメントの数Ｓとは無関係に保たれ、数Ｓは、いくつかの実施形態によれば、１、２、４、８、．．．に従って変動することがある。
【００４７】
一例では、ＵＥは、Ｓの中から１つを選択し、ここで、Ｓは、ＣＳＩ測定および／またはＣＳＩ報告をトリガするために使用されるＤＣＩによって暗黙的に示されるような、測定されるＣＳＩ−ＲＳエレメントの数である。Ｎ個のＣＳＩ−ＲＳエレメント（またはビーム）のうちのどの１つを報告が指しているかを指摘するために、長さＭ＝ｃｅｉｌ（ｌｏｇ２Ｓ）（または[ｌｏｇ２Ｓ]）のインジケータが、測定結果とともに、ＵＥからｇＮＢにシグナリングされる。代替的に、インジケータ長Ｍは、ｃｅｉｌ（ｌｏｇ２ＳＭＡＸ）に等しくなるように選定され、ここで、ＳＭＡＸは、測定され得るＣＳＩ−ＲＳエレメントの最大数（図４に示された例では、８）である。この手法の場合、ペイロードサイズは、Ｓに依存しない。
【００４８】
別の例では、ＵＥは、報告するためにＳ個のＣＳＩ−ＲＳ測定値の中からＱ個を選択し、ここで、Ｎは、ＣＳＩ測定および／またはＣＳＩ報告をトリガするために使用されるＤＣＩによって暗黙的に示される。Ｓ個のＣＳＩ−ＲＳエレメント（またはビーム）の中からどのＱ個を報告が指しているかを指摘するために、インジケータが、Ｑ個の測定結果とともにＵＥからｇＮＢにシグナリングされる。代替的に、ＱとＳとの最も大きい組合せが常にカバーされ得るように、ビットマップ長がこのインジケータのために選定され、シグナリングペイロードサイズがＱおよびＮに依存させられない。この実施形態の利益は、ペイロードが一定または同様に保たれる場合、ｇＮＢにおけるフィードバック制御チャネル設計および受信が、あまり複雑でないことである。その上、（ペイロードに依存する）ＵＥの送信電力がより安定する。
【００４９】
ｇＮＢからＵＥへの測定のトリガと、ＵＥからｇＮＢへのＣＳＩ報告の送信との間の最小時間が、ＣＳＩリソースを示すＤＣＩフィールドに依存し得ることが諒解されよう。いくつかの実施形態では、指示が、（上記の例では０１１１などの）多くのポートを示す場合、所定のパラメータｎ０１１１が、報告が送信され得る前のサブフレームの数を表示し得る。代替的に、動的ＣＳＩ報告トリガリングが使用される場合、ｇＮＢは、ＵＥに、ｎ０１１１個のサブフレーム後に報告することを要求し得る。これは、テーブルとして仕様に取り込まれ得、テーブルは、（たとえば、００００から１１１１までのバイナリ範囲内の）各ＤＣＩトリガリングフィールド値Ｘを最小のサブフレーム遅延ｎＸにマッピングする。この手法からの可能な利益は、ＵＥが多くの測定を実施しなければならない場合、ＵＥがより長い時間を許容されることである。単一のＣＳＩ−ＲＳ測定がある場合、処理時間は極めて短くなり得、いくつかの実施形態では、ＵＥは、ＣＳＩ−ＲＳが送信されるものと同じサブフレーム中で報告を送信するように暗黙的に割り振られ得る。
【００５０】
本明細書で説明される技法および装置は、５Ｇ  ＮＲコンテキストにおいて特に関心の対象となる最近の技術傾向に特に適用可能であることが諒解されよう。しかしながら、これらの技法は、ＷＣＤＭＡおよびＬＴＥなど、既存のモバイルブロードバンドシステムのさらなる発展においても適用可能である。
【００５１】
図７は、ネットワークノード３０など、ノードの図を示し、ネットワークノード３０は、本明細書で説明されるネットワーク側実施形態を実施するために個々にまたはまとめて動作する、無線通信ネットワークの１つまたは複数のノードのうちの１つであり得る。ネットワークノード３０は、たとえば、基地局または（５Ｇ  ＮＲコンテキストにおける）ｇＮｏｄｅＢなど、ネットワークアクセスノードであり得る。ネットワークノード３０は、無線デバイスに、エアインターフェース、たとえば、アンテナ３４とトランシーバ回路３６とを介して実装される、ダウンリンク送信およびアップリンク受信のための５Ｇエアインターフェースを与える。トランシーバ回路３６は、送信機回路と、受信機回路と、結合された制御回路とを含み得、それらはまとめて、セルラー通信サービス、または必要な場合、ＷＬＡＮサービスを提供するために、無線アクセス技術に従って信号を送信および受信するように設定される。様々な実施形態によれば、セルラー通信サービスは、５Ｇに従って動作され得る。しかしながら、このことは、ネットワークノード３０が、適切な場合、他の３ＧＰＰセルラー規格、ＧＳＭ、ＧＰＲＳ、ＷＣＤＭＡ、ＨＳＤＰＡ、ＬＴＥ、およびＬＴＥアドバンストのうちのいずれか１つまたは複数における通信を扱うようにも設定されることを除外しない。ネットワークノード３０は、コアネットワーク中のノード、他のピア無線ノード、および／またはネットワーク中の他のタイプのノードと通信するための通信インターフェース回路３８をも含み得る。
【００５２】
ネットワークノード３０は、１つまたは複数の処理回路３２をも含み、処理回路３２は、（１つまたは複数の）通信インターフェース回路３８および／またはトランシーバ回路３６に動作可能に結合され、それらの回路を制御するように設定される。処理回路３２は、１つまたは複数のデジタルプロセッサ４２、たとえば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の組合せを備える。より一般的には、処理回路３２は、固定回路要素またはプログラマブル回路要素を備え得、プログラマブル回路要素は、本明細書で教示される機能を実装するプログラム命令の実行を介して特別に設定されるか、または固定およびプログラマブル回路要素の何らかの組合せを備え得る。（１つまたは複数の）プロセッサ４２はマルチコアであり得る。一緒に考慮される１つまたは複数のネットワークノード３０（および、場合によっては他の制御ノード）の１つまたは複数の処理回路３２は、処理回路要素と呼ばれることもある。同様に、１つまたは複数のネットワークノードのトランシーバ回路は、一緒にトランシーバ回路要素と呼ばれることがある。しかしながら、便宜上、単一のネットワークノード３０の処理回路３２およびトランシーバ回路３６への参照がなされることになる。
【００５３】
処理回路３２はメモリ４４をも含む。メモリ４４は、いくつかの実施形態では、１つまたは複数のコンピュータプログラム４６および、随意に、設定データ４８を記憶する。メモリ４４は、コンピュータプログラム４６のための非一時的ストレージを与え、非一時的ストレージは、ディスクストレージ、ソリッドステートメモリストレージ、またはそれらの任意の組合せなど、１つまたは複数のタイプのコンピュータ可読媒体を備え得る。非限定的な例として、メモリ４４は、処理回路３２中にあり、および／または処理回路３２とは別個であり得る、ＳＲＡＭ、ＤＲＡＭ、ＥＥＰＲＯＭ、およびＦＬＡＳＨメモリのうちの任意の１つまたは複数を備え得る。概して、メモリ４４は、ノード３０によって使用されるコンピュータプログラム４６および任意の設定データ４８の非一時的ストレージを与える、１つまたは複数のタイプのコンピュータ可読記憶媒体を備える。ここで、「非一時的」は、永続的、半永続的、または少なくとも一時的に永続的なストレージを意味し、不揮発性メモリ中の長期ストレージと、たとえば、プログラム実行のためのワーキングメモリ中のストレージとの両方を包含する。
【００５４】
いくつかの実施形態では、ネットワークノード３０は、無線通信ネットワークにおけるＣＳＩ−ＲＳエレメントの測定を制御するための無線通信ネットワークの１つまたは複数のネットワークノードのうちの１つとして動作するように設定される。したがって、いくつかの実施形態では、処理回路３２は、Ｎ個のＣＳＩ−ＲＳエレメントのうちの１つまたは複数の各々中でＣＳＩ−ＲＳシンボルを送信することであって、セット中の各ＣＳＩ−ＲＳエレメントが、リソースエレメントの時間周波数グリッド中の少なくとも１つのリソースエレメントに対応する、送信することを行うように設定される。処理回路３２は、Ｎ個のＣＳＩ−ＲＳエレメントから、第１の無線デバイスによって測定されるべきＣＳＩ−ＲＳエレメントの第１のセットを選択することであって、第１のセットが、Ｎ個のＣＳＩ−ＲＳエレメントのうちの１つまたは複数を含む、選択することと、第１の無線デバイスに、ＣＳＩ−ＲＳエレメントの第１のセットを識別する第１のＫビットインジケータを含むメッセージを送信することであって、Ｋ＜Ｎである、送信することとを行うように設定される。処理回路３２はまた、メッセージに応答して、第１の無線デバイスから、ＣＳＩ−ＲＳエレメントの第１のセットのうちの少なくとも１つに対応する測定報告を受信するように設定される。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。この所定のマッピングは、たとえば、ネットワークノード（ｇＮＢ）および無線デバイスが、使用されるより前に所定のマッピングを用いてプログラムされるかまたはハードコード化されるように、業界規格によって規定され得る。しかしながら、所定のマッピングはまた、たとえば、ネットワークシグナリングが、所定のマッピングのセットのうちのどれが所与の時間において適用可能であるかを示すように、あるいは無線デバイスが、オーバージエア（ｏｖｅｒ−ｔｈｅ−ａｉｒ）シグナリングを介して所定のマッピングの全部または一部を用いて設定されるように、本質的により動的であり得る。
【００５５】
その特定の実装形態詳細にかかわらず、ネットワークノード３０の処理回路３２は、図８の方法８００など、上記で説明された技法のうちの１つまたは複数による方法を（場合によっては他のノードと協調して）実施するように設定される。方法８００は、Ｎ個のＣＳＩ−ＲＳエレメントのうちの１つまたは複数の各々中でＣＳＩ−ＲＳシンボルを送信することであって、セット中の各ＣＳＩ−ＲＳエレメントが、リソースエレメントの時間周波数グリッド中の少なくとも１つのリソースエレメントに対応する、送信すること（ブロック８０２）を含む。方法８００は、Ｎ個のＣＳＩ−ＲＳエレメントから、第１の無線デバイスによって測定されるべきＣＳＩ−ＲＳエレメントの第１のセットを選択することであって、第１のセットが、Ｎ個のＣＳＩ−ＲＳエレメントのうちの１つまたは複数を含む、選択すること（ブロック８０４）を含む。方法８００は、第１の無線デバイスに、ＣＳＩ−ＲＳエレメントの第１のセットを識別する第１のＫビットインジケータを含むメッセージを送信することであって、Ｋ＜Ｎである、送信すること（ブロック８０６）をも含む。方法８００は、メッセージに応答して、第１の無線デバイスから、ＣＳＩ−ＲＳエレメントの第１のセットのうちの少なくとも１つに対応する測定報告を受信すること（ブロック８０８）をさらに含む。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。いくつかの場合には、Ｋ＝ｃｅｉｌ（ｌｏｇ２Ｎ）＋１である。
【００５６】
Ｎ個のＣＳＩ−ＲＳエレメントの各々が、ＯＦＤＭリソースエレメントグリッド中のリソースエレメントのペアを含み得、Ｎ個のＣＳＩ−ＲＳエレメントの１つまたは複数の各々中でＣＳＩ−ＲＳシンボルを送信することが、第１のアンテナ偏波をもつリソースエレメントのペアのうちの一方中で送信することと、第２のアンテナ偏波をもつリソースエレメントのペアのうちの他方中で送信することとを含み得、第２のアンテナ偏波が第１のアンテナ偏波に実質的に直交する。
【００５７】
いくつかの場合には、基地局は、特定のビームをＣＳＩ−ＲＳエレメントにマッピングし得る。したがって、Ｎ個のＣＳＩ−ＲＳエレメントのうちの１つまたは複数の各々中でＣＳＩ−ＲＳシンボルを送信することが、ＣＳＩ−ＲＳエレメントのうちの少なくとも１つ中で、ビームフォーミングされたＣＳＩ−ＲＳシンボルを送信することを含む。Ｎ個のＣＳＩ−ＲＳエレメントのうちの１つまたは複数の各々中でＣＳＩ−ＲＳシンボルを送信することは、各ＣＳＩ−ＲＳエレメントが異なる送信ビームに対応するように、Ｎ個のＣＳＩ−ＲＳエレメントの各々中で、ビームフォーミングされたＣＳＩ−ＲＳシンボルを送信することを含み得る。方法８００は、Ｂ個の利用可能なビームのセットからＮ個の送信ビームを選択することをさらに含み得、ここで、Ｂ＞Ｎであり、各ＣＳＩ−ＲＳエレメントが、選択された送信ビームのうちの異なる送信ビームに対応する。Ｎ個の送信ビームの選択は、前に受信された測定報告に基づき得、選択されたビームが、複数の角度的に離間したプライマリビーム方向の各々からの少なくとも１つのビームを含み得、プライマリ方向が、前に受信された測定報告から決定される。
【００５８】
シグナリングの階層ツリーパターンに関して、Ｋビットインジケータの所定のセットのうちの第１のサブセットが、Ｎ個のＣＳＩ−ＲＳエレメントのうちの単一のＣＳＩ−ＲＳエレメントを各々一意に示すＮ個のインジケータからなり得る。いくつかの場合には、Ｎが、２のべき乗であり、Ｋ＝ｌｏｇ２Ｎ＋１である。Ｋビットインジケータの所定のセットのうちの第１のサブセットが、Ｎ個のＣＳＩ−ＲＳエレメントのうちの単一のＣＳＩ−ＲＳエレメントを各々一意に示すＮ個のインジケータからなり得、第２のサブセットが、Ｎ個のＣＳＩ−ＲＳエレメントからの２つのＣＳＩ−ＲＳエレメントのグループを各々一意に識別するＮ／２個のインジケータを含み得る。Ｋ≧８であるときなど、いくつかの場合には、第２のサブセットは、Ｎ個のＣＳＩ−ＲＳエレメントからの４つのＣＳＩ−ＲＳエレメントのグループを各々一意に識別するＮ／４個のインジケータをさらに含み得る。このパターンは、もちろん、本明細書で説明されるバイナリツリー手法と引き続き一致する。
【００５９】
第２のサブセットは、すべてのＮ個のＣＳＩ−ＲＳエレメントが測定されるべきであることを示す１つインジケータを含み得る。Ｋビットインジケータを含むメッセージは、ＤＣＩメッセージであり得る。
【００６０】
方法８００は、第１の無線デバイスがＣＳＩ−ＲＳエレメントの第１のセットを測定している時間間隔に少なくとも部分的に重複する時間間隔中に、Ｎ個のＣＳＩ−ＲＳエレメントから、第２の無線デバイスによって測定されるべきＣＳＩ−ＲＳエレメントの第２のセットを選択することであって、第２のセットが、Ｎ個のＣＳＩ−ＲＳエレメントのうちの１つまたは複数を含み、第１のセットとは異なる、選択することを含み得る。方法８００は、第２の無線デバイスに、ＣＳＩ−ＲＳエレメントの第２のセットを識別する第２のＫビットインジケータを含むメッセージを送信することであって、第２のＫビットインジケータが、Ｋビットインジケータの所定のセットのうちの１つである、送信することをさらに含み得る。方法８００は、この場合、メッセージに応答して、第２の無線デバイスから、ＣＳＩ−ＲＳエレメントの第２のセットのうちの少なくとも１つに対応する測定報告を受信することを含み得る。第１のＫビットインジケータが、Ｎ個のＣＳＩ−ＲＳエレメントのうちの２つまたはそれ以上の第１のグループを示し得、第２のＫビットインジケータが、Ｎ個のＣＳＩ−ＲＳエレメントのうちの２つまたはそれ以上の第２のグループを示し得、第１のグループと第２のグループとが相互排他的である。
【００６１】
任意のフィードバックシグナリングに関して、第１の無線デバイスから受信された測定報告が、いくつかの場合には、ＣＳＩ−ＲＳエレメントの第１のセット中のＣＳＩ−ＲＳエレメントのうちの１つを示すＭビットインジケータを含み、ここで、Ｍが、ｃｅｉｌ（ｌｏｇ２Ｓ）に等しく、Ｓが、ＣＳＩ−ＲＳエレメントの第１のセット中のメンバーの数に等しい。他の場合には、第１の無線デバイスから受信された測定報告が、ＣＳＩ−ＲＳエレメントの第１のセット中のＣＳＩ−ＲＳエレメントのうちの１つを示すＭビットインジケータを含み、ここで、Ｍが、ｃｅｉｌ（ｌｏｇ２ＳＭＡＸ）に等しく、ＳＭＡＸが、Ｋビットインジケータの所定のセットを用いて示され得るＮ個のＣＳＩ−ＲＳエレメントのうちの２つまたはそれ以上の所定のグループのうちのいずれか１つ中のメンバーの最大数に等しい。
【００６２】
いくつかの場合には、第１の無線デバイスから受信された測定報告が、ＣＳＩ−ＲＳエレメントの第１のセット中のＣＳＩ−ＲＳエレメントのうちの１つを示すＭビットインジケータを含み、ここで、Ｍが、ｃｅｉｌ（ｌｏｇ２Ｓ）に等しく、Ｓが、ＣＳＩ−ＲＳエレメントの第１のセット中のメンバーの数に等しい。いくつかの場合には、測定報告は、ＣＳＩ−ＲＳエレメントのうちのＱ個についての測定データを含み、ここで、１＜Ｑ＜Ｓであり、Ｓが、ＣＳＩ−ＲＳエレメントの第１のセット中のメンバーの数であり、測定報告は、ＣＳＩ−ＲＳエレメントの第１のセット中のＳ個のメンバーのうちのどのＱ個が測定報告中で表されるかを識別するインジケータをさらに含む。
【００６３】
図９は、無線デバイスのための本明細書で説明される技法を実施するように設定された、例示的な無線デバイス５０（たとえば、ＵＥ）を示す。無線デバイス５０はまた、５Ｇネットワークなど、ネットワークにおいて動作し得る任意の無線デバイスを表すと見なされ得る。本明細書での無線デバイス５０は、無線信号上でネットワークノードまたは別のＵＥと通信することが可能な任意のタイプの無線デバイスであり得る。無線デバイス５０は、様々なコンテキストにおいて、無線通信デバイス、ターゲットデバイス、デバイスツーデバイス（Ｄ２Ｄ）ＵＥ、マシン型ＵＥまたはマシンツーマシン（Ｍ２Ｍ）通信が可能なＵＥ、センサー装備ＵＥ、ＰＤＡ（携帯情報端末）、無線タブレット、モバイル端末、スマートフォン、ラップトップ埋込み機器（ＬＥＥ）、ラップトップ搭載機器（ＬＭＥ）、無線ＵＳＢドングル、顧客構内機器（ＣＰＥ）などとも呼ばれることがある。
【００６４】
無線デバイス５０は、アンテナ５４およびトランシーバ回路５６を介して、１つまたは複数のネットワークノード３０など、１つまたは複数の無線ノードまたは基地局と通信する。トランシーバ回路５６は、送信機回路と、受信機回路と、結合された制御回路とを含み得、それらはまとめて、セルラー通信サービスを提供するために、無線アクセス技術に従って信号を送信および受信するように設定される。
【００６５】
無線デバイス５０は、無線トランシーバ回路５６に動作可能に結合され、無線トランシーバ回路５６を制御する１つまたは複数の処理回路５２をも含む。処理回路５２は、１つまたは複数のデジタル処理回路、たとえば、１つまたは複数のマイクロプロセッサ、マイクロコントローラ、ＤＳＰ、ＦＰＧＡ、ＣＰＬＤ、ＡＳＩＣ、またはそれらの任意の混合を備える。より一般的には、処理回路５２は、固定回路要素またはプログラマブル回路要素を備え得、プログラマブル回路要素は、本明細書で教示される機能を実装するプログラム命令の実行を介して特別に適応され得るか、または固定およびプログラムされた回路要素の何らかの混合を備え得る。処理回路５２はマルチコアであり得る。
【００６６】
処理回路５２はメモリ６４をも含む。メモリ６４は、いくつかの実施形態では、１つまたは複数のコンピュータプログラム６６および、随意に、設定データ６８を記憶する。メモリ６４は、コンピュータプログラム６６のための非一時的ストレージを与え、非一時的ストレージは、ディスクストレージ、ソリッドステートメモリストレージ、またはそれらの任意の混合など、１つまたは複数のタイプのコンピュータ可読媒体を備え得る。非限定的な例として、メモリ６４は、処理回路５２中にあり、および／または処理回路５２とは別個であり得る、ＳＲＡＭ、ＤＲＡＭ、ＥＥＰＲＯＭ、およびＦＬＡＳＨメモリのうちの任意の１つまたは複数を備える。概して、メモリ６４は、ユーザ機器５０によって使用されるコンピュータプログラム６６および任意の設定データ６８の非一時的ストレージを与える、１つまたは複数のタイプのコンピュータ可読記憶媒体を備える。
【００６７】
したがって、いくつかの実施形態では、無線デバイス５０の処理回路５２は、無線通信ネットワークのＣＳＩ−ＲＳを測定するように設定される。処理回路５２は、無線通信ネットワークから、第１のＫビットインジケータを含むメッセージを受信することと、Ｎ個のＣＳＩ−ＲＳエレメントからのＣＳＩ−ＲＳの第１のセットを識別するために第１のＫビットインジケータを使用することであって、各ＣＳＩ−ＲＳエレメントが、リソースエレメントの時間周波数グリッド中の少なくとも１つのリソースエレメントに対応し、Ｋ＜Ｎである、使用することを行うように設定される。処理回路５２は、ＣＳＩ−ＲＳエレメントの識別された第１のセットに対して測定を実施することと、無線通信ネットワークに、ＣＳＩ−ＲＳエレメントの第１のセットのうちの少なくとも１つに対応する測定報告を送ることとを行うように設定される。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。
【００６８】
その特定の実装形態の詳細にかかわらず、無線デバイス５０の処理回路５２は、図１０の方法１０００など、説明された技法のうちの１つまたは複数に従って方法を実施するように設定される。方法１０００は、無線通信ネットワークから、第１のＫビットインジケータを含むメッセージを受信すること（ブロック１００２）と、Ｎ個のＣＳＩ−ＲＳエレメントからのＣＳＩ−ＲＳの第１のセットを識別するために第１のＫビットインジケータを使用することであって、各ＣＳＩ−ＲＳエレメントが、リソースエレメントの時間周波数グリッド中の少なくとも１つのリソースエレメントに対応し、Ｋ＜Ｎである、使用すること（ブロック１００４）とを含む。方法１０００は、ＣＳＩ−ＲＳエレメントの識別された第１のセットに対して測定を実施すること（１００６）と、無線通信ネットワークに、ＣＳＩ−ＲＳエレメントの第１のセットのうちの少なくとも１つに対応する測定報告を送ること（１００８）とをも含む。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。いくつかの場合には、Ｋ＝ｃｅｉｌ（ｌｏｇ２Ｎ）＋１である。
【００６９】
Ｎ個のＣＳＩ−ＲＳエレメントの各々が、ＯＦＤＭリソースエレメントグリッド中のリソースエレメントのペアを含み得、ここで、各ＣＳＩ−ＲＳエレメントについて、ＣＳＩ−ＲＳシンボルが、第１のアンテナ偏波をもつリソースエレメントのペアのうちの一方中で送信され、ＣＳＩ−ＲＳが、第２のアンテナ偏波をもつリソースエレメントのペアのうちの他方中で送信され、第２のアンテナ偏波が第１のアンテナ偏波に実質的に直交し、方法１０００は、ＣＳＩ−ＲＳエレメントの識別された第１のセットに対して測定を実施することは、各ＣＳＩ−ＲＳエレメントについて、リソースエレメントのペアの測定を組み合わせることを含むことを含み得る。
【００７０】
Ｋビットインジケータの所定のセットのうちの第１のサブセットが、Ｎ個のＣＳＩ−ＲＳエレメントのうちの単一のＣＳＩ−ＲＳエレメントを各々一意に示すＮ個のインジケータからなり得る。
【００７１】
いくつかの場合には、Ｎが、２のべき乗であり、Ｋ＝ｌｏｇ２Ｎ＋１である。Ｋビットインジケータの所定のセットのうちの第１のサブセットが、Ｎ個のＣＳＩ−ＲＳエレメントのうちの単一のＣＳＩ−ＲＳエレメントを各々一意に示すＮ個のインジケータからなり得、第２のサブセットが、Ｎ個のＣＳＩ−ＲＳエレメントからの２つのＣＳＩ−ＲＳエレメントのグループを各々一意に識別するＮ／２個のインジケータを含む。Ｋ≧８である場合には、第２のサブセットは、Ｎ個のＣＳＩ−ＲＳエレメントからの４つのＣＳＩ−ＲＳエレメントのグループを各々一意に識別するＮ／４個のインジケータをさらに含む。
【００７２】
第２のサブセットは、すべてのＮ個のＣＳＩ−ＲＳエレメントが測定されるべきであることを示す１つインジケータを含み得る。メッセージはＫビットインジケータを含み得、ＤＣＩメッセージである。
【００７３】
方法１０００は、無線通信ネットワークに送られる測定報告中に、ＣＳＩ−ＲＳエレメントの第１のセット中のＣＳＩ−ＲＳエレメントのうちの１つを示すＭビットインジケータを含め得、ここで、Ｍが、ｃｅｉｌ（ｌｏｇ２Ｓ）に等しく、Ｓが、ＣＳＩ−ＲＳエレメントの第１のセット中のメンバーの数に等しい。方法１０００は、無線通信ネットワークに送られる測定報告中に、ＣＳＩ−ＲＳエレメントの第１のセット中のＣＳＩ−ＲＳエレメントのうちの１つを示すＭビットインジケータ含め得、ここで、Ｍが、ｃｅｉｌ（ｌｏｇ２ＳＭＡＸ）に等しく、ＳＭＡＸが、Ｋビットインジケータの所定のセットを用いて示され得るＮ個のＣＳＩ−ＲＳエレメントのうちの２つまたはそれ以上の所定のグループのうちのいずれか１つ中のメンバーの最大数に等しい。
【００７４】
方法１０００は、無線通信ネットワークに送られる測定報告中に、ＣＳＩ−ＲＳエレメントの第１のセット中のＣＳＩ−ＲＳエレメントのうちの１つを示すＭビットインジケータを含め得、ここで、Ｍが、ｃｅｉｌ（ｌｏｇ２Ｓ）に等しく、Ｓが、ＣＳＩ−ＲＳエレメントの第１のセット中のメンバーの数に等しい。方法１０００は、無線通信ネットワークに送られる測定報告中に、ＣＳＩ−ＲＳエレメントのうちのＱ個についての測定データを含めることであって、ここで、１＜Ｑ＜Ｓであり、Ｓが、ＣＳＩ−ＲＳエレメントの第１のセット中のメンバーの数である、含めることと、測定報告中に、ＣＳＩ−ＲＳエレメントの第１のセット中のＳ個のメンバーのうちのどのＱ個が測定報告中で表されるかを識別するインジケータをさらに含めることとを行い得る。
【００７５】
上記で詳細に説明されたように、本明細書で説明される技法は、たとえば、図８および図１０のプロセスフロー図に示されているように、全体的にまたは部分的に、１つまたは複数のプロセッサによって実行されるコンピュータプログラム命令を使用して実装され得る。これらの技法の機能的実装形態が、機能モジュールに関して表され得、ここで、各機能モジュールが、適切なプロセッサ中で実行するソフトウェアの機能ユニットに、または機能的デジタルハードウェア回路に、またはその両方の何らかの組合せに対応することが諒解されよう。
【００７６】
図１１は、無線通信ネットワークにおけるＣＳＩ−ＲＳエレメントの測定を制御するように設定された、無線通信ネットワークの１つまたは複数のノードとして動作するネットワークノード３０において実装され得るような、例示的な機能モジュールまたは回路アーキテクチャを示す。実装形態は、Ｎ個のＣＳＩ−ＲＳエレメントのうちの１つまたは複数の各々中でＣＳＩ−ＲＳシンボルを送信することであって、セット中の各ＣＳＩ−ＲＳエレメントが、リソースエレメントの時間周波数グリッド中の少なくとも１つのリソースエレメントに対応する、送信することを行うための送信モジュール１１０２を含む。実装形態は、Ｎ個のＣＳＩ−ＲＳエレメントから、第１の無線デバイスによって測定されるべきＣＳＩ−ＲＳエレメントの第１のセットを選択することであって、第１のセットが、Ｎ個のＣＳＩ−ＲＳエレメントのうちの１つまたは複数を含む、選択することを行うための選択モジュール１１０４をも含む。送信モジュール１１０２は、第１の無線デバイスに、ＣＳＩ−ＲＳエレメントの第１のセットを識別する第１のＫビットインジケータを含むメッセージを送信することであって、Ｋ＜Ｎである、送信することを行うためのものでもある。実装形態は、メッセージに応答して、第１の無線デバイスから、ＣＳＩ−ＲＳエレメントの第１のセットのうちの少なくとも１つに対応する測定報告を受信するための受信モジュール１１０６をも含む。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。
【００７７】
図１２は、無線通信ネットワークにおけるＣＳＩ−ＲＳエレメントを測定するように設定された無線デバイス５０において実装され得るような、例示的な機能モジュールまたは回路アーキテクチャを示す。実装形態は、無線通信ネットワークから、第１のＫビットインジケータを含むメッセージを受信するための受信モジュール１２０２と、Ｎ個のＣＳＩ−ＲＳエレメントからのＣＳＩ−ＲＳの第１のセットを識別するために第１のＫビットインジケータを使用することであって、各ＣＳＩ−ＲＳエレメントが、リソースエレメントの時間周波数グリッド中の少なくとも１つのリソースエレメントに対応し、Ｋ＜Ｎである、使用することを行うための識別モジュール１２０４とを含む。実装形態は、ＣＳＩ−ＲＳエレメントの識別された第１のセットに対して測定を実施するための測定モジュール１２０６と、無線通信ネットワークに、ＣＳＩ−ＲＳエレメントの第１のセットのうちの少なくとも１つに対応する測定報告を送るための送信モジュール１２０８とをも含む。第１のＫビットインジケータは、Ｋビットインジケータの所定のセットのうちの１つであり、ここで、Ｋビットインジケータの所定のセットの各メンバーは、Ｋビットインジケータの所定のセットのうちの第１のサブセットの各メンバーが、Ｎ個のＣＳＩ−ＲＳエレメントのうちの単一のＣＳＩ−ＲＳエレメントを一意に示すように、および所定のインジケータの第２のサブセットの各メンバーが、Ｎ個のＣＳＩ−ＲＳエレメントのうちの２つまたはそれ以上の所定のグループを一意に示すように、所定のマッピングに従って、Ｎ個のＣＳＩ−ＲＳの中からのＣＳＩ−ＲＳエレメントまたはＣＳＩ−ＲＳエレメントのグループに一意に対応する。
【００７８】
特に、開示された（１つまたは複数の）本発明の変更および他の実施形態が、上記の説明および関連する図面において提示される教示の恩恵を得る当業者に、想到されるであろう。したがって、（１つまたは複数の）本発明が、開示された特定の実施形態に限定されるべきでないことと、変更および他の実施形態が、本開示の範囲内に含められるものであることとを理解されたい。本明細書では特定の用語が採用され得るが、それらは、一般的および説明的意味で使用されるにすぎず、限定の目的のためのものではない。
【図１Ａ】
0006805343.tif 000002
【図１Ｂ】
0006805343.tif 000003
【図１Ｃ】
0006805343.tif 000004
【図２】
0006805343.tif 000005
【図３】
0006805343.tif 000006
【図４】
0006805343.tif 000007
【図５】
0006805343.tif 000008
【図６】
0006805343.tif 000009
【図７】
0006805343.tif 000010
【図８】
0006805343.tif 000011
【図９】
0006805343.tif 000012
【図１０】
0006805343.tif 000013
【図１１】
0006805343.tif 000014
【図１２】
0006805343.tif 000015